(57)【要約】【課題】物品が抜き取られるのを防止することができる収容箱を提供する。【解決手段】本発明に係る収容箱は、上部に開口を有し、当該開口が対向する第１縁部及び第２縁部を有するとともに、前記開口に通じる内部空間を有し、当該内部空間に物品を収容可能な収容箱本体と、前記開口の第１縁部に連結され、当該開口を塞ぐ蓋部と、前記開口の第２縁部から突出する突出部と、前記突出部の先端部に折り曲げ可能に連結され、前記突出部を覆うカバー部と、前記蓋部において、前記第２縁部側の縁部に折り曲げ可能に連結されるとともに、折り曲げられた前記カバー部と前記突出部との間に配置される支持部と、を備え、前記カバー部は、前記突出部を覆う折り曲げ状態を保持するように構成されている。【選択図】図１
2019011070.tif 000002
【特許請求の範囲】
【請求項１】
上部に開口を有し、当該開口が対向する第１縁部及び第２縁部を有するとともに、前記開口に通じる内部空間を有し、当該内部空間に物品を収容可能な収容箱本体と、
前記開口の第１縁部に連結され、当該開口を塞ぐ蓋部と、
前記開口の第２縁部から突出する突出部と、
前記突出部の先端部に折り曲げ可能に連結され、前記突出部を覆うカバー部と、
前記蓋部において、前記第２縁部側の縁部に折り曲げ可能に連結されるとともに、折り曲げられた前記カバー部と前記突出部との間に配置される支持部と、
を備え、
前記カバー部は、前記突出部を覆う折り曲げ状態を保持するように構成されている、収容箱。
【請求項２】
前記支持部は、前記蓋部の前記縁部の一部に連結されており、
折り曲げられた前記カバー部の先端部が、前記蓋部の前記縁部において前記支持部が連結されていない部分と、前記開口の第２縁部と、の間に係合可能となっている、請求項１に記載の収容箱。
【請求項３】
前記支持部は、前記蓋部に連結される第１部位と、当該第１部位に連結される第２部位とを備え、
前記第２縁部の延びる方向において、前記第２部位の長さが、前記第１部位よりも長く形成されている、請求項２に記載の収容箱。
【請求項４】
前記第２部位は、前記第２縁部の延びる方向の中央付近において、前記蓋部に連結されており、
折り曲げられた前記カバー部の先端部が、前記蓋部の前記縁部における前記第２部位の両側と、前記開口の第２縁部と、の間に係合可能となっている、請求項３に記載の収容箱。
【請求項５】
前記蓋部に、破断可能な破断線によって囲まれた取出部が形成されており、
前記取出部が前記支持部に連結されている、請求項３または４に記載の収容箱。
【請求項６】
前記開口において、前記第１縁部の両側と、前記第２縁部の両側とが互いに連結されており、
前記第１縁部及び前記第２縁部は円弧状に形成され、両側にいくにしたがって、上方に延びるように形成されている、請求項１から５のいずれかに記載の収容箱。
【請求項７】
前記突出部に第１貫通孔が形成され、
前記カバー部には、前記第１貫通孔と一致する第２貫通孔が形成され、
前記支持部には、上下方向に延び、前記第１及び第２貫通孔と対応する通路が形成されている、請求項１から６のいずれかに記載の収容箱。
【発明の詳細な説明】
【技術分野】
【０００１】
本発明は、収容箱に関する。
【背景技術】
【０００２】
従来より、特許文献１に記載のような収容箱が提案されている。この収容箱は、直方体状に形成され、上面に形成された開口を塞ぐように蓋が設けられている。また、この収容箱の上端部には、板状のヘッダーが取り付けられている。このヘッダーには、収容箱を商品の陳列棚などに吊下げるための貫通孔が形成されている。
【先行技術文献】
【特許文献】
【０００３】
【特許文献１】特開２０１１−１０５３２１号公報
【発明の概要】
【発明が解決しようとする課題】
【０００４】
ところで、上述した収容箱は、蓋を強く押圧すると、蓋が収容箱の中に押し込まれ、収容箱の上面の開口と蓋との間に隙間が形成される。そのため、このような収容箱においては、収容箱から商品を取り出すことが比較的容易であり、店頭などでイタズラ等により商品のみを抜き取られることも考えられる。また、医薬品や化粧品などの場合には、商品の性質上、より厳格に収容箱に収容される必要があった。本発明は、上記問題を解決するためになされたものであり、内部に収容された物品が容易に抜き取られるのを防止することができる収容箱を提供することを目的とする。
【課題を解決するための手段】
【０００５】
本発明に係る収容箱は、上部に開口を有し、当該開口が対向する第１縁部及び第２縁部を有するとともに、前記開口に通じる内部空間を有し、当該内部空間に物品を収容可能な収容箱本体と、前記開口の第１縁部に連結され、当該開口を塞ぐ蓋部と、前記開口の第２縁部から突出する突出部と、前記突出部の先端部に折り曲げ可能に連結され、前記突出部を覆うカバー部と、前記蓋部において、前記第２縁部側の縁部に折り曲げ可能に連結されるとともに、折り曲げられた前記カバー部と前記突出部との間に配置される支持部と、を備え、前記カバー部は、前記突出部を覆う折り曲げ状態を保持するように構成されている。
【０００６】
この構成によれば、収容箱本体の開口の第１縁部に、当該開口を塞ぐ蓋部が連結され、この蓋部における第１縁部と対向する第２縁部側には、支持部が連結されている。そして、この支持部は、開口から突出する突出部とこれを覆うカバー部との間に配置されている。そのため、例えば、蓋部を押圧すると、蓋部が収容箱本体の開口に押し込まれるのに伴って、支持部も開口に入り込んでいく。これにより、蓋部と開口の第２縁部との間が支持部によって塞がれるため、この間に指を挿入して、収容箱本体に収容される物品が抜き取られるのを防止することができる。
【０００７】
上記収容箱において、前記カバー部が前記突出部を覆う折り曲げ状態を保持するには種々の態様がある。例えば、前記支持部を、前記蓋部の前記縁部の一部に連結し、折り曲げられた前記カバー部の先端部を、前記蓋部の前記縁部において前記支持部が連結されていない部分と、前記開口の第２縁部と、の間に係合可能とすることができる。
【０００８】
ここで、支持部も種々の態様にすることができる。例えば、前記支持部が、前記蓋部に連結される第１部位と、当該第１部位に連結される第２部位とを備え、前記第２縁部の延びる方向において、前記第２部位の長さを、前記第１部位よりも長く形成することもできる。
【０００９】
また、上記収容箱において、前記第２部位を、前記第２縁部の延びる方向の中央付近において、前記蓋部に連結し、折り曲げられた前記カバー部の先端部を、前記蓋部の前記縁部における前記第２部位の両側と、前記開口の第２縁部と、の間に係合可能とすることができる。
【００１０】
上記収容箱においては、前記蓋部に、破断可能な破断線によって囲まれた取出部を形成し、前記取出部を前記支持部に連結することができる。
【００１１】
この構成によれば、破断線に囲まれた取出部が、支持部に連結されているため、破断線を破断したときに、取出部が蓋部から離脱しても、蓋部が収容箱本体の内部空間に落下するのを防止することができる。このとき、破断線が破断すると、取出部が蓋部から離脱することにより取出口が形成され、この取出口から物品を取り出すことができる。
【００１２】
上記各収容箱においては、収容箱本体を種々の態様にすることができる。例えば、前記開口において、前記第１縁部の両側と、前記第２縁部の両側とが互いに連結され、前記第１縁部及び前記第２縁部が円弧状に形成され、両側にいくにしたがって、上方に延びるように形成することができる。
【００１３】
上記各収容箱においては、前記突出部に第１貫通孔を形成し、前記カバー部には、前記第１貫通孔と一致する第２貫通孔を形成し、前記支持部には、上下方向に延び、前記第１及び第２貫通孔と対応する通路を形成することができる。
【００１４】
この構成によれば、支持部に形成されている通路が上下方向に延びているため、蓋部が内部空間側に押し込まれるのに伴って、支持部が下方に移動しても、通路を介して、第１及び第２貫通孔を連通させることができる。したがって、蓋部が押し込まれても、貫通孔が支持部によって塞がれるのを防止することができる。
【発明の効果】
【００１５】
本発明によれば、内部に収容された物品が容易に抜き取られるのを防止することができる。
【図面の簡単な説明】
【００１６】
【図１】本発明に係る収容箱の一実施形態を示す斜視図である。
【図２】図１の収容箱の展開図である。
【図３】組立途中の収容箱の平面図である。
【図４】組立途中の収容箱の平面図である。
【図５】組立途中の収容箱の断面図である。
【図６】組立途中の収容箱の斜視図である。
【図７】組立途中の収容箱の斜視図である。
【図８】収容箱の使用方法を説明する斜視図である。
【図９】図８の断面図である。
【図１０】図１の収容箱の動作を説明する断面図である。
【図１１】図１の収容箱の動作を説明する斜視図である。
【図１２】図１の収容箱の動作を説明する斜視図である。
【発明を実施するための形態】
【００１７】
以下、本発明に係る収容箱の一実施形態について図面を参照しつつ説明する。図１はこの収容箱の斜視図、図２は図１の収容箱の展開図である。
【００１８】
＜１．収容箱の概要＞
図１に示すように、この収容箱は、正面視矩形状の収容箱本体１０と、その上端に設けられたヘッダー部２０と、を備えている。そして、この収容箱は、紙、樹脂材料などの一枚の薄板状の材料を折り曲げたり、接着することで組み立てられる。以下では、まず、この収容箱の展開図について説明し、その後、収容箱の組立及び使用方法について説明する。
【００１９】
以下の説明では、図２の左右方向、及び上下方向に基づいて、説明を行う。しかし、展開された収容箱が組み立てられたときには、方向が異なることがあるが、以下では、図２を基準に説明を行う。また、図２の収容箱の紙面の手前側を第１面、これとは反対側を第２面と称することとする。第１面は主として収容箱の内側を向く面であり、第２面は外側を向く面である。なお、上述した方向は、本実施形態を説明するための一例であり、これには限定されない。
【００２０】
図２に示すように、この収容箱は、左右方向に、右側から左側へ、矩形状の正面板１、矩形状の背面板２、及び第１糊代部３が連結されている。これらの連結部分は、折り曲げ可能な折り曲げ線を構成している。正面板１の上端辺（第１縁部）１１は、下方に凸の円弧状に形成されており、この上端辺１１に蓋板（蓋部）４が折り曲げ可能に連結されている。蓋板４は、上下方向に延びるように形成されており、正面板１の上端辺に連結される円弧状の前側辺４１と、図２の上方に凸の円弧状の後側辺（端縁）４２とで囲まれた、両側が鋭角の楕円状に形成されている。
【００２１】
そして、図２において、この蓋板４の後側辺４２には、支持板（支持部）５が折り曲げ可能に連結されている。支持板５は、蓋板４の後側辺４２に連結される矩形状の連結部（第１部位）５１と、この連結部５１の上端に連結される矩形状の本体部（第２部位）５２と、を備え、これらが一体的に形成されている。本体部５２の幅は、連結部５１よりも大きく、本体部５２の上端辺５２１の中央には、上下方向に延びる矩形状の切欠き部（通路）５２３が形成されている。一方、正面板１の下端辺１２には、矩形状の第２糊代部６が折り曲げ可能に連結されている。
【００２２】
次に、背面板２について説明する。背面板２の下端辺２２は、正面板１の下端辺１２と上下方向の位置が一致するように連結されているが、背面板２の上端辺２１は、正面板１よりも上方に位置している。すなわち、背面板２の上下方向の長さは、正面板１よりも長くなっており、後述するように、この収容箱を組み立てたときには、背面板２が正面板１よりも上方に突出するようになっている。以下、この部分を突出部２３と称することとする。なお、背面板２と正面板１との上下方向の長さの差は、上述した支持板５の上下方向の長さとほぼ同じである。また、背面板２の上端辺２１付近には、第１貫通孔２４が形成されている。
【００２３】
図２において、背面板２の上端辺２１には、矩形状のカバー板７が折り曲げ可能に連結されている。そして、このカバー板７は、背面板２に対して折り曲げられ、上述した突出部２３を前方から覆うように配置される。そのため、カバー板７の上下方向の長さは、突出部２３の上下方向の長さとほぼ同じである。このとき、背面板２の第１貫通孔２４と一致するように、カバー板７には、同形状の第２貫通孔７１が形成されている。
【００２４】
カバー板７の上端辺７２は、中央部７２１と、その両側に配置される一対の側縁部７２２とで構成されている。中央部７２１は、下方にやや窪む円弧状に形成され、側縁部７２２は、側方に行くにしたがって下方に傾斜している。なお、カバー板７は、収容箱の組立時に突出部２３を覆うように折り畳まれるため、カバー板７の上端辺７２は下方を向き、蓋板４の後側辺４２に接するようになっている。
【００２５】
一方、背面板２の下端辺２２には、底板８が連結されている。底板８は、同形状の第１部位８１と第２部位８２とが連結されることで構成されている。第１部位８１は台形状に形成され、短辺が背面板２の下端辺２２に折り曲げ可能に連結されている。また、第２部位８２も台形状に形成され、第１部位８１の長辺に、第２部位８２の長辺が折り曲げ可能に連結されている。両部位８１，８２の左右方向の長さは、背面板２の左右方向の長さとほぼ同じである。なお、後述するように、突出部２３及びカバー板７により上述したヘッダー部２０が形成され、その他の部位により収容箱本体１０が形成される。
【００２６】
次に、破断線について説明する。蓋板４には、前側辺４１と後側辺４２との間で延びる２つの第１破断線９１が形成されている。これら第１破断線９１は、支持板５の連結部５１の基端の両側から前側辺４１まで、それぞれ延びており、前側辺４１にいくにしたがって第１破断線９１の間の距離が徐々に短くなるように形成されている。また、蓋板４の前側辺４１には、両第１破断線９１を結ぶように、第２破断線９２が形成されている。このように第１及び第２破断線９１，９２に囲まれた部分が、後述するように、取出部４７を構成する。
【００２７】
＜２．収容箱の組立＞
次に、収容箱の組立について、図３〜図７を参照しつつ説明する。まず、図３に示すように、底板８を背面板２の第１面と重なるように折り曲げ、さらに、底板８の第１部位８１に第２部位８２が重なるように（第２部位８２の第１面が見えるように）両部位８１，８２の連結部分を折り曲げる。また、第１糊代部３を背面板２の第１面と重なるように折り曲げ、さらに第２糊代部６を正面板１の第１面と重なるように折り曲げる。この状態で、折り曲げた第１及び第２糊代部３，６に接着剤を塗布した後、正面板１が背面板２に重なるように両者の連結部分を折り曲げる。これにより、図４に示すように、第１糊代部３が正面板１に接着するとともに、第２糊代部６が底板８の第２部位８２に接着される。
【００２８】
次に、図４の矢印Ｆに示すように、重ねられた正面板１と背面板２の両側を内側に向けて押圧する。これにより、図５に示すように、正面板１と背面板２との間に空間が形成され、これらの上端辺１１，２１で囲まれる開口４０が形成される。そして、この開口４０から、正面板１と背面板２との間に形成された空間に物品を収納する。
【００２９】
次に、図６に示すように、正面板１の上端辺１１に対して、蓋板４の前側辺４１を折り曲げ、蓋板４によって開口４０を塞ぐ。このとき、蓋板４の後側辺４２に沿って支持板５を折り曲げ、支持板５を、背面板２の突出部２３の第１面に沿うように配置する。このとき、支持板５の切欠き部５２３内に、背面板２の第１貫通孔２４が位置する。続いて、図７に示すように、背面板２の上端辺２１において、カバー板７を折り曲げ、カバー板７が支持板５及び突出部２３を覆うようにする。そして、蓋板４の後側辺４２の両側部と突出部２３との間に、カバー板７の上端辺７２の側縁部７２２をそれぞれ挿入する。こうして、カバー板７の上端辺７２が固定され、カバー板７の折り曲げ状態が保持され、突出部２３とカバー板７によりヘッダー部２０が形成される。また、背面板２の第１貫通孔２４、支持板５の切欠き部５２３、及びカバー板７の第２貫通孔７１が一致し、ヘッダー部２０を貫通する取付孔が形成される。以上の工程を経て、収容箱が組立てられる。
【００３０】
＜３．収容箱の使用方法＞
続いて、収容箱の使用方法について、図７〜図９を参照しつつ説明する。まず、物品を取り出すには、図７の状態から、蓋板４において、破断線９１，９２に囲まれた取出部４７を押圧する。これにより、破断線９１，９２が破断し、図８及び図９に示すように、取出部４７が収容箱本体１０の内部空間に入り込む。これにより、破断線９１，９２に囲まれた部分が取出口４８を形成し、内部空間に収容された物品を取り出すことができる。
【００３１】
＜４．特徴＞
以上のように、本実施形態によれば、次の特徴を有している。
【００３２】
＜４−１＞
この構成によれば、図１０（ａ）に示すように、蓋板４の前側辺４１を正面板１に連結し、蓋板４の後側辺４２に支持板５が連結されている。そして、この支持板５は、背面板２から突出する突出部２３と、その前面を覆うカバー板７との間に配置されている。そのため、例えば、蓋板４を押圧すると、蓋板４が収容箱本体１０の内部に押し込まれるのに伴って、支持板５も内部に入り込んでいく。これにより、図１０（ｂ）に示すように、蓋板４と背面板２との間が支持板５によって塞がれるため、この間に指などが挿入されるのを防止することができる。すなわち、蓋板４を押圧して、背面板２との隙間から指を挿入し、収容箱本体１０に収容される物品が抜き取られるのを防止することができる。
【００３３】
＜４−２＞
支持板５の本体部５２は、連結部５１よりも左右方向の幅が大きいため、図１１に示すように、本体部５２と蓋板４との間には隙間Ｄが生じている。しかし、蓋板４は湾曲し、両側にいくにしたがって上方に延びているため、蓋板４を押圧し、支持板５が下方に下がると、図１２に示すように、隙間Ｄは狭くなるように構成されている。したがって、蓋板４の両側からも指が挿入されるのを防止することができる。
【００３４】
＜４−３＞
支持板５には、第１及び第２貫通孔２４，７１に一致する切欠き部５２３が上下方向に延びるように形成されているため、例えば、図１１の状態から蓋板４を押圧したとき、図１２に示すように、支持板５が両貫通孔２４，７１に対して下方に移動しても、両貫通孔２４，７１は切欠き部５２３内に配置される。したがって、支持板５によって両貫通孔２４，７１が塞がれるのを防止することができる。
【００３５】
＜５．変形例＞
以上、本発明の一実施形態について説明したが、本発明はこれに限定されるものではなく、その趣旨を逸脱しない限りにおいて種々の変更が可能である。なお、以下の変形例は、適宜組み合わせ可能である。
【００３６】
＜５−１＞
上記実施形態では、第１及び第２貫通孔７１，２４が設けられていたが、貫通孔は必ずしも設けなくてもよい。この場合、切欠き部５２３を設ける必要もない。
【００３７】
＜５−２＞
支持板５の形状は特には限定されず、突出部２３とカバー板７との間に挿入可能であれば、種々の形状にすることができる。したがって、上記実施形態のように、連結部５１と本体部５２とを組み合わせた形状以外でもよい。また、第１及び第２貫通孔７１，２４を設ける場合でも、切欠き部５２３の形状は特に限定されず、上述したように、第１及び第２貫通孔７１，２４を塞がないように形成されていれば、例えば、切り欠きではなく、貫通孔とすることもできる。
【００３８】
＜５−３＞
上記実施形態では、カバー板７の先端部を突出部２３と蓋板４との隙間に係合することで、カバー板７の折り畳み状態を保持しているが、その他の方法で保持されていてもよい。例えば、突出部２３とカバー板７とを係合させたり、あるいは接着剤で両者を固定するなど、種々の方法で保持することができる。
【００３９】
＜５−４＞
上記実施形態では、一枚の板材を折り曲げたり、接着したりすることで収容箱を組立てているが、複数の板材を組み合わせて収容箱を構成することもできる。また、各部位を板材ではなく、厚みを有する部材で形成することもできる。
【００４０】
＜５−５＞
取出口４８の位置は特には限定されず、蓋板４のほか、正面板１、背面板２に設けることもできる。また、蓋板４、正面板１、または背面板２の少なくとも１つに内部空間を視認可能な窓を設けることもできる。窓は透明のフィルムなどで形成することができる。
【００４１】
＜５−６＞
収容箱本体１０の形状は特には限定されず、角筒状、多角形状、円筒状など、種々の形状に形成することもできる。また、底面の形成方法についても特には限定されない。
【符号の説明】
【００４２】
１０  収容箱本体
２３  突出部
４  蓋板（蓋部）
５  支持板（支持部）
７  カバー板（カバー部）
【図１】
2019011070.tif 000003
【図２】
2019011070.tif 000004
【図３】
2019011070.tif 000005
【図４】
2019011070.tif 000006
【図５】
2019011070.tif 000007
【図６】
2019011070.tif 000008
【図７】
2019011070.tif 000009
【図８】
2019011070.tif 000010
【図９】
2019011070.tif 000011
【図１０】
2019011070.tif 000012
【図１１】
2019011070.tif 000013
【図１２】
2019011070.tif 000014